(57)【要約】【課題】      本来ヤエンは単一連式が主体であった。２股式も開発されてはいるが、イカなどの獲物に針をかける操作が難しく、獲物から掛かる向う合せとなり、確率が低いものである。【解決手段】  以上の欠点を解決する事が課題である。図面上に示すように３方向、又４方向よりイカを中芯に締め付け確実な掛りを約束出来るヤエンを提供する。ヤエン掛針は外周より内部に挟み込みイカを刺し確保可能である。掛かり針に開閉装置を設置する。【選択図】  図５
2007097565.tif 000002
【特許請求の範囲】
【請求項１】
本発明のヤエンは、本来１連式から成るものが主であるが、多連式から成る掛り針を設け、３又４方向から挟み込む方法から成るものである。ヤエン釣り針は、長いピアノ線を利用、釣り糸手元方向で鉛製オモリで固定結束される。固定部と掛かり針部との間でヤエン針は固定リング部分によって開閉可能とされる。ヤエン本体は吊り下げ部分を２ヶ所設ける。固定リング部に１ヶ所、鉛製オモリ部に１ヶ所設ける。釣り糸先端部に丸玉ストッパ成るものを設ける。吊り下げ部は、釣り糸を習動可能である。固定リング部の吊り下げ部は、釣り糸を習動し丸玉ストッパに当ると、固定リングは掛かり針から外れて、ヤエン針は内部へ絞り込み、獲物、主にイカを挟み込む装置である。
【請求項２】
固定リングに掛かり針の数と同数の凹みを設け、掛り針固定時に安定を保つ、掛かり針線には固定リングに凹み部分と絡み合う、掛り針はヘアピン状の曲りを設け、リングの凹み部分と絡み合い衝撃を受けると、解放されて針部分が閉る装置である。尚、丸玉は鉛製で釣り糸に絞り込み付着可能。吊り下げ誘導部は釣りエサと獲物がヤエン掛かり針の中芯になるように設置されるものである。
【発明の詳細な説明】
【発明の詳細な説明】
【技術分野】
【０００１】  この発明はイカ釣りに利用される掛け針の方式に関するものである。
【背景技術】
【０００２】  ヤエンは本来一連式で獲物に到達しても、掛け針に主にイカを掛る操作が必要で、初心者には大変困難なもので、獲物を逃す率が高いものであった。
【発明の開示】
【発明が解決しようとする課題】
【０００３】  本来のヤエンでは針に掛る操作が必要で、操作は困難なものであり初心者には逃す確率が高いものである。以上の欠点を解決して、誰でも釣れるヤエンを提供する事を課題とする。【０００４】  本発明により、ヤエン本体を釣り糸により誘導し獲物、主にイカに到達させ獲物の中芯で自動的に挟み込む装置を設置する。確実な掛かりを約束するヤエンを提供する。本ヤエンは掛け針部分を３本から４本設け、イカに到達すると開いている係り部分が絞りイカを挟み込み確保するものである。
【発明の効果】
【０００５】  このヤエン利用により、針掛け操作が自動的であり、取り込みの確率が上がるものであろう。初心者でも針掛け操作が必要なく釣れる。ヤエン本体の操作方法は、釣り糸に吊り下げ、釣りエサ方向へ誘導され獲物に到達し、イカの中芯部でストッパ部分に開閉部２が当たり、自動的にイカを挟み込み確保可能な利点がある。
【発明を実施するための形態】
【０００６】
【図１】
本発明の実施形態を図１〜図５によって説明する。本発明ヤエンは、図１に示す通り、ヤエン掛け針１により３方向より挟み込む構造に設置される。ヤエン本体を、２，２Ｂにより釣糸８に吊るし、獲物のイカ方向に習動可能である。釣糸８には、終点部に近い部分に丸玉ストッパ７が付けてあり、誘導部２は丸玉７に衝突する。その衝撃でヤエン掛かり針１は３方向より獲物のイカを挟み込む装置である。ヤエン掛かり針１はピアノ線を利用され、掛け針１反対方向で鉛製オモリ５で固定される。鉛製オモリｂで掛け針１は結束され、ピアノ線からなる掛け針１は開閉可能である。固定リング３と設置しない閉じた状態は１束状態でヤエン針先１は絞っている。ヤエン掛け針１は固定リング３の装置により開閉される。ヤエン針１は固定リング３と、４Ａ部分で連結されて、半回転可能。釣り部分２、２Ｂは、釣り針９が、ヤエン掛け針部の中芯になるように設置される。
【図２】
吊り下げ部分２、２Ｂ、部分拡大詳細図である。吊り下げ部分は、１回半曲りで、リング状形である。曲り線部分は間隔があり、釣り糸８の嵌め込みが容易である。吊り下げ部分２は固定リング３と接続してあり、吊り部２は、ストッパ丸玉７に、衝突すると掛け針１を開放し掛け針１は閉る作用が可能である。
【図３】
図３は固定リング３とヤエン掛け針１の拡大図であり、掛針と固定リング３は小リング状に曲げてあり、絡み合う半回転可能で掛り針の開閉に作用する。
【図４】
図４は固定リング３とヤエン掛け針１の絡み部分４の、詳細図である。掛け針１はヘアピン状に、２回曲げてあり、１部は開放状で、固定リング３の凹み部分と絡み合い、ヤエン掛け針１の開閉に作用する要である。固定リング３は、固定オモリ５方向へ外れヤエン掛け針は内部へ閉る作用である。
【図５】
はヤエン針が作動の結果イカを３方向より挟み込んだ状態の予想図である。ストッパ７に当り、リングは結束方向へ外れ、イカを挟み込むヤエン針はイカに刺さり確保可能となる。
【０００７】
【図１】
この発明の実施形態を示す側面姿図である。
【図２】
この発明の吊り下げ部固定リング部分の拡大詳細図である。
【図３】
この発明の掛け針と固定リングの接続部分の拡大詳細図である。
【図４】
この発明の掛け針と固定リングの絡み部（４）の詳細図である。
【図５】
この発明のヤエン掛け針が作動の結果を表す姿図である。
【符号の説明】
【０００８】  １  ヤエン掛け針
２  吊り下習導部
３  固定リング
４  固定リングと掛針の絡み部
４Ａ  固定接続部
５  錘と固定部
６  ヤエン掛け針部分
７  丸玉ストッパ
８  釣糸
９  釣針
【図１】
2007097565.tif 000003
【図２】
2007097565.tif 000004
【図３】
2007097565.tif 000005
【図４】
2007097565.tif 000006
【図５】
2007097565.tif 000007
【手続補正書】
【提出日】平成17年12月19日(2005.12.19)
【手続補正１】
【補正対象書類名】明細書
【補正対象項目名】全文
【補正方法】変更
【補正の内容】
【発明の詳細な説明】
【技術分野】
【０００１】  この発明はイカ釣りに利用される掛け針の方式に関するものである。
【背景技術】
【０００２】  ヤエンは本来一連式で獲物に到達しても、掛け針に主にイカを掛る操作が必要で、初心者には大変困難なもので、獲物を逃す率が高いものであった。
【発明の開示】
【発明が解決しようとする課題】
【０００３】  本来のヤエンでは針に掛る操作が必要で、操作は困難なものであり初心者には逃す確率が高いものである。以上の欠点を解決して、誰でも釣れるヤエンを提供する事を課題とする。【０００４】  本発明により、ヤエン本体を釣り糸により誘導し獲物、主にイカに到達させ獲物の中芯で自動的に挟み込む装置を設置する。確実な掛かりを約束するヤエンを提供する。本ヤエンは掛け針部分を３本から４本設け、イカに到達すると開いている係り部分が絞りイカを挟み込み確保するものである。
【発明の効果】
【０００５】  このヤエン利用により、針掛け操作が自動的であり、取り込みの確率が上がるものであろう。初心者でも針掛け操作が必要なく釣れる。ヤエン本体の操作方法は、釣り糸に吊り下げ、釣りエサ方向へ誘導され獲物に到達し、イカの中芯部でストッパ部分に開閉部２が当たり、自動的にイカを挟み込み確保可能な利点がある。
【発明を実施するための形態】
【０００６】  「図１」本発明の実施形態を図１〜図５によって説明する。本発明ヤエンは、図１に示す通り、ヤエン掛け針１により３方向より挟み込む構造に設置される。ヤエン本体を、２，２Ｂにより釣糸８に吊るし、獲物のイカ方向に習動可能である。釣糸８には、終点部に近い部分に丸玉ストッパ７が付けてあり、誘導部２は丸玉７に衝突する。その衝撃でヤエン掛かり針１は３方向より獲物のイカを挟み込む装置である。ヤエン掛かり針１はピアノ線を利用され、掛け針１反対方向で鉛製オモリ５で固定される。鉛製オモリ５で掛け針１は結束され、ピアノ線からなる掛け針１は開閉可能である。固定リング３と設置しない閉じた状態は１束状態でヤエン針先１は絞っている。ヤエン掛け針１は固定リング３の装置により開閉される。ヤエン針１は固定リング３と、４Ａ部分で連結されて、半回転可能。釣り部分２、２Ｂは、釣り針９が、ヤエン掛け針部の中芯になるように設置される。
「図２」は吊り下げ部分２、２Ｂ、部分拡大詳細図である。吊り下げ部分は、１回半曲りで、リング状形である。曲り線部分は間隔があり、釣り糸８の嵌め込みが容易である。吊り下げ部分２は固定リング３と接続してあり、吊り部２は、ストッパ丸玉７に、衝突すると掛け針１を開放し掛け針１は閉る作用が可能である。
「図３」は固定リング３とヤエン掛け針１の拡大図であり、掛針と固定リング３は小リング状に曲げてあり、絡み合う半回転可能で掛り針の開閉に作用する。
「図４」は固定リング３とヤエン掛け針１の絡み部分４の、詳細図である。掛け針１はヘアピン状に、２回曲げてあり、１部は開放状で、固定リング３の凹み部分と絡み合い、ヤエン掛け針１の開閉に作用する要である。固定リング３は、固定オモリ５方向へ外れヤエン掛け針は内部へ閉る作用である。
「図５」はヤエン針が作動の結果イカを３方向より挟み込んだ状態の予想図である。ストッパ７に当り、リングは結束方向へ外れ、イカを挟み込むヤエン針はイカに刺さり確保可能となる。
【図面の簡単な説明】
【０００７】
【図１】    この発明の実施形態を示す側面姿図である。
【図２】    この発明の吊り下げ部固定リング部分の拡大詳細図である。
【図３】    この発明の掛け針と固定リングの接続部分の拡大詳細図である。
【図４】    この発明の掛け針と固定リングの絡み部（４）の詳細図である。
【図５】    この発明のヤエン掛け針が作動の結果を表す姿図である。
【符号の説明】
【０００８】  １  ヤエン掛け針
２  吊り下習導部
３  固定リング
４  固定リングと掛針の絡み部
４Ａ  固定接続部
５  錘と固定部
６  ヤエン掛け針部分
７  丸玉ストッパ
８  釣糸
９  釣針